(57)【特許請求の範囲】
【請求項１】
エレベータかご室の側板の上部水平位置に複数設けた吊金具に、上記側板を保護する保護マットを吊るようにしたエレベータかご室の吊金具装置において、上記側板の複数箇所に装着孔と、この装着孔を包囲して形成した複数の小孔とを形成し、この小孔を利用して上記側板の表面側にカバーを固定し、他の小孔を利用して上記側板の裏面側にブラケットを固定し、上記吊金具は、上記装着孔に挿入されて上記ブラケットに螺合して突出後退可能に設けたことを特徴とするエレベータかご室の吊金具装置。
【請求項２】
請求項１記載のものにおいて、前記カバーは、その裏面に上記小孔に挿入した複数本のねじを一体的に設け、このねじによって上記側板および上記ブラケットを固定したことを特徴とするエレベータかご室の吊金具装置。
【請求項３】
請求項１記載のものにおいて、上記吊金具は、上記ブラケットに螺合したねじ部を有し、このねじ部の挿入側先端部に螺合を解く方向への移動を規制するかしめ部材を設けたことを特徴とするエレベータかご室の吊金具装置。
【請求項４】
エレベータかご室の側板の上部水平位置に複数設けた吊金具に、上記側板を保護する保護マットを吊るようにしたエレベータかご室の吊金具装置の取付方法において、上記側板に複数の装着孔を形成する第１のステップと、これら装着孔の同心円上に複数個の小孔を形成する第２のステップと、上記装着孔に対応する孔を有するカバーを、上記小孔に対応して設けた複数本のねじを挿入しその一部のねじを用いて上記側板に取り付ける第３のステップと、他の上記ねじを用いて上記側板の背面側にブラケットを固定する第４のステップと、その後、上記側板の表面側から上記吊金具を挿入して上記ブラケットに突出後退可能に螺合する第５のステップとを有することを特徴とするエレベータかご室の吊金具装置の取付方法。
【発明の詳細な説明】
【０００１】
【発明の属する技術分野】
本発明は、エレベータかご室の吊金具装置およびその取付方法に関する。
【０００２】
【従来の技術】
従来のエレベータかご室の吊金具装置は、実開昭５８−１６６５６６号公報に記載のように、押しばねを配し保護マットを取り外したとき、吊金具を側板から突出させないでおくようにしたものが提案されている。
【０００３】
【発明が解決しようとする課題】
しかしながら、従来の吊金具装置は、その構造が複雑な形状となり製作に手間を要したり、現地での加工が困難で側板の製作段階でないと取り付けが難しい構造であり、既設エレベータを改修し取付ける場合には、かご室の側板を取り換えなければならず、現地作業が複雑で費用や作業時間が増大してしまう。
【０００４】
本発明の目的は、既設エレベータに容易に取り付けられるようにしたエレベータかご室の吊金具装置およびその取付方法を提供することにある。
【０００５】
【課題を解決するための手段】
本発明は上記目的を達成するために、エレベータかご室の側板の上部水平位置に複数設けた吊金具に、上記側板を保護する保護マットを吊るようにしたエレベータかご室の吊金具装置において、上記側板の複数箇所に装着孔と、この装着孔を包囲して形成した複数の小孔とを形成し、この小孔を利用して上記側板の表面側にカバーを固定し、他の小孔を利用して上記側板の裏面側にブラケットを固定し、上記吊金具は、上記装着孔に挿入されて上記ブラケットに螺合して突出後退可能に設けたことを特徴とする。
【０００６】
本発明によるエレベータかご室の吊金具装置は、吊金具をブラケットに突出後退可能に螺合したため、保護マットを取付ける時のみ吊金具を突出させるようにし、取り付けない状態では後退させておくことができるので、意匠性が優れると共に、既設エレベータの側板への取付作業は、側板への複数個の孔加工と、これらの孔を用いた取付作業だけであり、短時間で容易に吊金具の取り付けを行なうことができる。
【０００７】
また本発明は上記目的を達成するために、エレベータかご室の側板の上部水平位置に複数設けた吊金具に、上記側板を保護する保護マットを吊るようにしたエレベータかご室の吊金具装置の取付方法において、上記側板に複数の装着孔を形成する第１のステップと、これら装着孔の同心円上に複数個の小孔を形成する第２のステップと、上記装着孔に対応する孔を有するカバーを、上記小孔に対応して設けた複数本のねじを挿入しその一部のねじを用いて上記側板に取り付ける第３のステップと、他の上記ねじを用いて上記側板の背面側にブラケットを固定する第４のステップと、その後、上記側板の表面側から上記吊金具を挿入して上記ブラケットに突出後退可能に螺合する第５のステップとを有することを特徴とする。
【０００８】
本発明によるエレベータかご室の吊金具装置の取付方法は、既設エレベータの側板の加工は複数個の装着孔と、これらの装着孔の同心円上に設ける複数個の小孔だけであり、また側板への装着はカバーの裏面の複数本のねじを用いることで、既設エレベータでの現地加工に溶接作業を不要とし、短時間で容易に吊金具の取り付けを行なうことができる。
【０００９】
【発明の実施の形態】
以下、本発明の実施の形態を図面により説明する。図３は、本発明の一実施の形態によるエレベータかご室の吊金具装置を取り付けるかご室を示す斜視図である。
【００１０】
かご室１の側面を形成する側板２の内壁面には、それを傷等から保護する保護マット３が取り外し可能に設けられており、側板２の上方の水平方向には保護マット３を吊り下げるための詳細を後述する吊金具装置が離散的に複数個取り付けられている。
【００１１】
図１および図２は、上述した吊金具装置の一つを示す要部断面図および正面図である。側板２の表面側には円形のカバー５が配置され、このカバー５の中央部には吊金具４を取り付けるための孔５ｄが形成され、この孔５ｄの外周部に同心円上に４本のねじ５ａが溶接により固定されている。側板２には、カバー５の孔に対応すると共にこの孔よりも若干小さめの吊金具４を取り付けるための図示しない装着孔と、カバー５の４本のねじ５ａが挿入される４個の小孔２ａとが形成されており、側板２の正面側からこの小孔２ａにねじ５ａをそれぞれ挿入してカバー５が設けられている。これらのねじ５ａのうち、図１における中央部に位置する上下２本のねじ５ａは、スプリングワッシャ５ｂおよびナット５ｃにて直接側板２の裏面側に螺結されており、他の２本のねじ５ａは、側板２の裏面に配置したブラケット６の取付部６ａを介してスプリングワッシャ５ｂおよびナット５ｃにて螺結されている。
【００１２】
このブラケット６は、側板２の裏面に当接する一対の取付部６ａと、側板２の裏面のさらに後方に位置して一対の取付部６ａと所定距離、例えば２０ｍｍ離れた位置に支持部６ｂが形成されて縦断面略Ｃ字状の箱型形状をしている。側板２の裏面に当接した一対の取付部６ａの各中央部には、それぞれねじ５ａを挿入する図示しない小孔が形成されており、また支持部６ｂの中心部には図示しない孔が形成されている。この支持部６ｂに形成した孔の裏面側にはナット６ｃが溶接等によって固定されている。このナット６ｃに変えて支持部６ｂの孔に雌ねじを形成しても良い。
【００１３】
吊金具４は、例えば長さ約５５ｍｍを有するビス状をしており、側板２の裏面側に位置する先端部には先端から約３０ｍｍの長さでねじ部４ａが形成され、このねじ部４ａは側板２の表面側からカバー５の孔、側板２の装着孔および支持部６ｂの孔に挿入されてナット６ｃに螺合されている。吊金具４の頭部は平形をしており、その正面側にはドライバーや硬貨で回転するための溝部４ｂが形成されている。この吊金具４は、ねじ部４ａをナット６ｃで螺合した後、ねじ部４ａの先端部にかしめ部材４ｃを設けて、吊金具４がナット６ｃとの螺合を解く方向への移動を規制している。
【００１４】
ここで、吊金具４が側板２に対する突出寸法は、吊金具４の寸法、ねじ部４ａの寸法、ブラケット６における支持部６ｂと側板２の対向距離によって決定される。しかしながら、吊金具４を一方向に回転して側板２の裏面側に後退させたとき、吊金具４の頭部が側板２の表面側に突出しないようにすることができ、また吊金具４を他方向に回転して側板２の表面側に突出させたとき、かしめ部材４ｃがナット６ｃに当接して停止するが、このときねじ部４ａが側板２の前に出現しないようにすれば、かご室側の意匠性を良好に保持することができる。
【００１５】
次に、このような吊金具装置の取付方法を図４に示すフローチャートを用いて説明する。先ず、ステップＳ１で側板２の上部水平位置の複数箇所に吊金具４の取付位置のけがき線を設けて図示しない装着孔を空ける。続くステップＳ２で、これら各装着孔を包囲する同心円上にカバー５のねじ５ａを挿入する４個の小孔２ａのけがき線を設けて小孔を空ける。既設エレベータに対して吊金具装置を取り付ける場合、既設エレベータの側板２に対する加工作業はこれで完了するため、作業は非常に簡単である。
【００１６】
次に、取付作業となるが、ステップＳ３で、側板２に形成した４個の小孔２ａにカバー５の４本のねじ５ａを挿入し、そのうちの上下方向に並んだ２本のねじ５ａにスプリングワッシャ５ｂおよびナット５ｃを螺結させて側板２にカバー５を取り付ける。その後、ステップＳ４でカバー５の他の２本のねじ５ａは取付部６ａに形成した小孔に挿入し、挿入側先端からスプリングワッシャ５ｂおよびナット５ｃを螺着させて側板２の裏面側にブラケット６を取り付ける。その後、ステップＳ５でカバー５の中央部に設けた孔に吊金具４を挿入してナット６ｃにねじ部４ａを螺合させ、そのねじ部４ａの先端部にかしめ装置でかしめ部材４ｃを取り付ける。
【００１７】
これらの説明から分かるように取り付けを完了した吊金具４は、その回転によってナット６ｃとの螺合位置を変えることができるため、一方向の回転によって側板２の表面側に突出させたり、他方向の回転によって側板２の裏面側に後退させたりすることができ、側板２に対して突出後退寸法を調整可能に構成されている。
【００１８】
そこで、吊金具４を一方向に回転して側板２の表面側に突出させると、その突出はかしめ部材４ｃがナット６ｃに当接して停止するが、このときねじ部４ａが側板２の前に出現しないようにしているので、かご室側の意匠性に悪影響を与えることがない。この突出した各吊金具４を利用して図３に示した保護マット３を取り付けることができる。カバー５の中央部に形成した孔５ｄを通してブラケット６側が見えることも考えられるが、吊金具４に保持するために保護マット３に形成する孔の大きさを選定したり、あるいは吊金具４の中間にその突出後退に影響を与えることなく孔５ｄを塞ぐようなつばを設けたりすることもできる。このようなつばをカバー５や側板２に接触するようにするなら、この接触部で荷重を受けることもできる。
【００１９】
一方、保護マット３を取り付けない場合は、複数の吊金具４が側板２の表面側に突出していて意匠性に悪影響を与えることになる。そこで、今度は吊金具４を他方向に回転すると、側板２の裏面側に後退して行く。この後退寸法は適宜調整することができるが、吊金具４の頭部が側板２の表面側に突出しないようにしたり、その突出寸法を十分に抑えたりすることができ、保護マットを取り付けない状態でも意匠性を保つことができる。カバー５の中央部に形成した孔５ｄを吊金具４の頭部より若干大きい程度に選定するなら、孔５ｄを通してブラケット６側が乗客から見えることがない。
【００２０】
また、吊金具４の突出後退をねじ構造によって実現したため、簡単な構成で、また吊金具４の首下を太くすることが可能となり、吊金具４の強度を十分確保できる。また、吊金具４のねじ部４ａの端部にかしめ部材４ｃを設けたことで、吊金具４の抜け出しを防止できると共に、吊金具４のがたつきも防止することができる。
【００２１】
【発明の効果】
以上説明したように本発明のエレベータかご室の吊金具装置およびその取付方法は、既設エレベータの側板に装着孔と、この装着孔の同心円上に設ける複数個の小孔とを空け、この小孔を利用して側板の裏面側にブラケットを配置し、装着孔に配置すると共にこのブラケットに対してねじによって突出後退可能な吊金具を設けたため、既設エレベータの現地加工を簡単にし、また吊金具を突出後退を調整することによって保護マットを取り付けていない場合でも優れた意匠性を得ることができる。
【図面の簡単な説明】
【図１】本発明の一実施の形態によるエレベータかご室の吊金具装置を示す断面図である。
【図２】図１に示した吊金具装置の正面図である。
【図３】図１に示した吊金具装置を取り付けるエレベータのかご室内を示す斜視図である。
【図４】本発明の一実施の形態によるエレベータかご室の吊金具装置の取付方法を示すフローチャートである。
【符号の説明】
２  側板
３  保護マット
４  吊金具
４ａ  ねじ部
４ｃ  かしめ部材
５  カバー
５ａ  ねじ
６  ブラケット
６ａ  取付部
６ｂ  支持部
６ｃ  ナット
【図１】
0003681603.tif 000002
【図２】
0003681603.tif 000003
【図３】
0003681603.tif 000004
【図４】
0003681603.tif 000005